(57)【要約】  ＡＰにおけるワイヤレス通信のための方法、システム、およびデバイスが説明される。マスタモードでソフトアクセスポイント（ＳＡＰ）として働く局（ＳＴＡ）が、同時に２つのレーダーチャネル（たとえば、１次チャネルおよび２次チャネル）を介した通信をサポートするように構成され得る。ＳＴＡは、１次チャネル上でレーダーを検出し、１次チャネルを２次チャネルに移動し得るが、２次チャネルは、非レーダーサブバンド中のチャネルに移動され得る。いくつかの場合には、ＳＴＡは、非レーダーサブバンド中で１次チャネルを確立し、次いでシングル帯域幅容量を広告し得る。ＳＴＡは、次いで、レーダーサブバンドに対してチャネル利用可能性検査（ＣＡＣ）を実行し得る。ＣＡＣが成功した場合、ＳＴＡは、レーダーサブバンド上で２次チャネルを確立（または１次チャネルをレーダーサブバンドに移動）し、デュアル帯域幅容量を広告し得る。【選択図】  図２
2018509826.tif 000002
【特許請求の範囲】
【請求項１】
第１のレーダーサブバンド中で１次チャネルを確立し、第２のレーダーサブバンド中で２次チャネルを確立することと、
前記第１のレーダーサブバンド中でレーダー信号を検出することと、
前記レーダー信号を検出することに少なくとも部分的に基づいて前記２次チャネルを非レーダーサブバンドに移動することと、
前記レーダー信号を検出することと前記２次チャネルを移動することとに少なくとも部分的に基づいて前記１次チャネルを前記第２のレーダーサブバンドに移動することと
を備える、ワイヤレス通信の方法。
【請求項２】
ソフトアクセスポイント（ＡＰ）特徴をアクティブにすることをさらに備え、ここにおいて、前記１次チャネルおよび前記２次チャネルを確立することが前記ソフトＡＰ特徴に少なくとも部分的に基づく、
請求項１に記載の方法。
【請求項３】
前記１次チャネルおよび前記２次チャネルに少なくとも部分的に基づいてデュアル帯域幅容量を広告すること
をさらに備える、請求項１に記載の方法。
【請求項４】
前記第１のレーダーサブバンドおよび前記第２のレーダーサブバンドに対して成功したチャネル利用可能性検査（ＣＡＣ）を実行することをさらに備え、ここにおいて、前記１次チャネルおよび前記２次チャネルを確立することが、前記成功したＣＡＣに少なくとも部分的に基づく、
請求項１に記載の方法。
【請求項５】
前記２次チャネルを前記非レーダーサブバンドに移動することに少なくとも部分的に基づいて第３のレーダーサブバンドに対して成功したＣＡＣを実行することと、
前記第３のレーダーサブバンドに対する前記成功したＣＡＣに少なくとも部分的に基づいて前記２次チャネルを前記第３のレーダーサブバンドに移動することと
をさらに備える、請求項４に記載の方法。
【請求項６】
前記１次チャネルを前記第２のレーダーサブバンドに移動することに少なくとも部分的に基づいて前記第１のレーダーサブバンドに対して成功したＣＡＣを実行することと、
前記第１のレーダーサブバンドに対する前記成功したＣＡＣに少なくとも部分的に基づいて前記１次チャネルまたは前記２次チャネルのうちの１つを前記第１のレーダーサブバンドに移動することと
をさらに備える、請求項４に記載の方法。
【請求項７】
前記成功したＣＡＣを実行することが、前記チャネルのうちの一方に対して前記成功したＣＡＣをコンカレントに実行しながら、前記チャネルのうちの他方上で通信するために第１の無線機を使用することを備える、
をさらに備える、請求項４に記載の方法。
【請求項８】
非レーダーサブバンド中で１次チャネルを確立することと、
前記１次チャネルに少なくとも部分的に基づいてシングル帯域幅容量を広告することと、
前記シングル帯域幅容量を広告することの後に２次チャネルのためのレーダーサブバンドに対する成功したＣＡＣを完了することと、
前記成功したＣＡＣに少なくとも部分的に基づいて前記レーダーサブバンド中で前記２次チャネルを確立することと、
前記１次チャネルおよび前記成功したＣＡＣに少なくとも部分的に基づいてデュアル帯域幅容量を広告することと
を備える、ワイヤレス通信の方法。
【請求項９】
第２の無線機を使用して前記レーダーサブバンドに対して前記成功したＣＡＣをコンカレントに実行しながら、第１の無線機を使用して前記１次チャネルを介して通信すること
をさらに備える、請求項８に記載の方法。
【請求項１０】
前記レーダーサブバンドが第１のレーダーサブバンドを備え、
前記方法が、第２のレーダーサブバンドに対して第２の成功したＣＡＣを実行することと、
利用可能なレーダーサブバンドのリストに前記第２のレーダーサブバンドを追加することとをさらに備える、請求項８に記載の方法。
【請求項１１】
前記リストがしきい値数のサブバンドを含んでいると決定することと、
前記デュアル帯域幅容量が前記決定に少なくとも部分的に基づくことを広告することと
をさらに備える、請求項１０に記載の方法。
【請求項１２】
前記レーダーサブバンド中でレーダー信号を検出することと、
前記レーダーサブバンド中で前記レーダー信号を検出することに少なくとも部分的に基づいて前記２次チャネルを異なるサブバンドに移動することと
をさらに備える、請求項１０に記載の方法。
【請求項１３】
第１のレーダーサブバンド中で１次チャネルを確立し、第２のレーダーサブバンド中で２次チャネルを確立するためのチャネル確立マネージャと、
前記第１のレーダーサブバンド中でレーダー信号を検出するためのレーダー検出器と、
前記レーダー信号を検出することに少なくとも部分的に基づいて前記２次チャネルを非レーダーサブバンドに移動するための２次無線コントローラと、
前記レーダー信号を検出することと前記２次チャネルを移動することとに少なくとも部分的に基づいて前記１次チャネルを前記第２のレーダーサブバンドに移動するための１次無線コントローラと
を備える、ワイヤレス通信のための装置。
【請求項１４】
ソフトアクセスポイント（ＡＰ）特徴をアクティブにするためのソフトＡＰマスタコントローラをさらに備え、ここにおいて、前記１次チャネルおよび前記２次チャネルを確立することが前記ソフトＡＰ特徴に少なくとも部分的に基づく、
請求項１３に記載の装置。
【請求項１５】
前記１次チャネルおよび前記２次チャネルに少なくとも部分的に基づいてデュアル帯域幅容量を広告するための広告マネージャ
をさらに備える、請求項１３に記載の装置。
【請求項１６】
前記第１のレーダーサブバンドおよび前記第２のレーダーサブバンドに対して成功したチャネル利用可能性検査（ＣＡＣ）を実行するためのＣＡＣマネージャをさらに備え、ここにおいて、前記１次チャネルおよび前記２次チャネルを確立することが、前記成功したＣＡＣに少なくとも部分的に基づく、
請求項１３に記載の装置。
【請求項１７】
前記２次チャネルを前記非レーダーサブバンドに移動することに少なくとも部分的に基づいて第３のレーダーサブバンドに対して成功したＣＡＣを実行するための構成要素と、
前記第３のレーダーサブバンドに対する前記成功したＣＡＣに少なくとも部分的に基づいて前記２次チャネルを前記第３のレーダーサブバンドに移動するための前記２次無線コントローラと
をさらに備える、請求項１６に記載の装置。
【請求項１８】
前記１次チャネルを前記第２のレーダーサブバンドに移動することに少なくとも部分的に基づいて前記第１のレーダーサブバンドに対して成功したＣＡＣを実行するための構成要素と、
前記第１のレーダーサブバンドに対する前記成功したＣＡＣに少なくとも部分的に基づいて前記１次チャネルまたは前記２次チャネルのうちの１つを前記第１のレーダーサブバンドに移動するためのデュアル無線コントローラと
をさらに備える、請求項１６に記載の装置。
【請求項１９】
前記チャネルのうちの一方に対して前記成功したＣＡＣをコンカレントに実行しながら、前記チャネルのうちの他方上で通信するために第１の無線機を使用して前記成功したＣＡＣを実行するための構成要素
をさらに備える、請求項１６に記載の装置。
【請求項２０】
非レーダーサブバンド中で１次チャネルを確立するためのチャネル確立マネージャと、
前記１次チャネルに少なくとも部分的に基づいてシングル帯域幅容量を広告するための広告マネージャと、
前記シングル帯域幅容量を広告することの後に２次チャネルのためのレーダーサブバンドに対する成功したＣＡＣを完了するためのＣＡＣマネージャと、
前記成功したＣＡＣに少なくとも部分的に基づいて前記レーダーサブバンド中で前記２次チャネルを確立するための前記チャネル確立マネージャと、
前記１次チャネルおよび前記成功したＣＡＣに少なくとも部分的に基づいてデュアル帯域幅容量を広告するための前記広告マネージャと
を備える、ワイヤレス通信のための装置。
【請求項２１】
第２の無線機を使用して前記レーダーサブバンドに対して前記成功したＣＡＣをコンカレントに実行しながら、第１の無線機を使用して前記１次チャネルを介して通信するための１次無線コントローラ
をさらに備える、請求項２０に記載の装置。
【請求項２２】
前記レーダーサブバンドが第１のレーダーサブバンドを備え、
前記装置が、第２のレーダーサブバンドに対して第２の成功したＣＡＣを実行するための構成要素と、
利用可能なレーダーサブバンドのリストに前記第２のレーダーサブバンドを追加するためのレーダーサブバンドリストマネージャとをさらに備える、請求項２０に記載の装置。
【請求項２３】
前記リストがしきい値数のサブバンドを含んでいると決定するための前記レーダーサブバンドリストマネージャと、
前記デュアル帯域幅容量が前記決定に少なくとも部分的に基づくことを広告するための前記広告マネージャと
をさらに備える、請求項２２に記載の装置。
【請求項２４】
前記レーダーサブバンド中でレーダー信号を検出するためのレーダー検出器と、
前記レーダーサブバンド中で前記レーダー信号を検出することに少なくとも部分的に基づいて前記２次チャネルを異なるサブバンドに移動するための２次無線コントローラと
をさらに備える、請求項２２に記載の装置。
【発明の詳細な説明】
【技術分野】
【０００１】
相互参照
[0001]本特許出願は、本出願の譲受人に譲渡され、２０１５年２月１９日に出願された「Soft Access Point Master Mode Using Dual Wideband Channels」と題する、Ｇｒｅｅｎらによる米国特許出願第１４／６２６，６３８号の優先権を主張する。
【０００２】
[0002]以下は、一般に、ワイヤレス通信、たとえば、デュアル広帯域チャネルを使用するソフトアクセスポイント（ＡＰ）マスタモードに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。
【０００４】
[0004]ワイヤレスネットワーク、たとえば、ワイヤレスローカルエリアネットワーク（ＷＬＡＮ）は、１つまたは複数の局（ＳＴＡ）またはモバイルデバイスと通信し得るＡＰを含み得る。ＡＰは、インターネットなど、ネットワークに結合され得、モバイルデバイスがネットワークを介して通信する（あるいはサービスセット、たとえば、基本サービスセット（ＢＳＳ）または拡張サービスセット（ＥＳＳ）中のアクセスポイントに結合された他のデバイスと通信する）ことを可能にし得る。ワイヤレスデバイスはネットワークデバイスと双方向に通信し得る。たとえば、ＷＬＡＮでは、ＳＴＡは、ダウンリンク（ＤＬ）およびＵＬを介して関連するＡＰと通信し得る。ＳＴＡの観点から、ＤＬ（または順方向リンク）はＡＰから局への通信リンクを指すことがあり、アップリンク（ＵＬ）（または逆方向リンク）は局からＡＰへの通信リンクを指すことがある。いくつかの場合には、ＳＴＡは、ソフトＡＰとして他のＳＴＡへの接続サービスを与え得る。
【０００５】
[0005]マスタモードでソフトＡＰとして働くＳＴＡは、同時に２つのチャネルを介して別のワイヤレス通信デバイスと通信するように構成され得る。いくつかの場合には、チャネルの一方または両方は、レーダー適用例など、特殊な目的のために割り振られ得る。したがって、ＳＴＡとレーダー適用例の両方が同じチャネルを使用している事例があり得る。ＡＰまたはソフトＡＰは、レーダーが検出されるとチャネルを空にし得るが、これは、準最適なチャネル構成を生じ得る。すなわち、レーダーサブバンドから１次チャネル（primary channel）を移動することにより、１次チャネルが、最終的に２次チャネル（secondary channel）よりも輻輳した周波数帯域中にあることになり得る。
【発明の概要】
【０００６】
[0006]デュアル広帯域チャネルを使用するソフトＡＰマスタモードのためのシステム、方法、および装置が説明される。マスタモードでソフトアクセスポイント（ＳＡＰ）として働く局（ＳＴＡ）が、同時に２つのレーダーチャネル（たとえば、１次チャネルおよび２次チャネル）を介した通信をサポートするように構成され得る。ＳＴＡは、１次チャネル上でレーダーを検出し、１次チャネルを２次チャネルに移動し得るが、２次チャネルは、非レーダーサブバンド中のチャネルに移動され得る。いくつかの場合には、ＳＴＡは、非レーダーサブバンド中で１次チャネルを確立し、次いでシングル帯域幅容量を広告し得る。ＳＴＡは、次いで、レーダーサブバンドに対してチャネル利用可能性検査（ＣＡＣ：channel availability check）を実行し得る。ＣＡＣが成功した場合、ＳＴＡは、レーダーサブバンド上で２次チャネルを確立（または１次チャネルをレーダーサブバンドに移動）し、デュアル帯域幅容量を広告し得る。
【０００７】
[0007]ワイヤレス通信の方法が説明される。本方法は、第１のレーダーサブバンド中で１次チャネルを確立し、第２のレーダーサブバンド中で２次チャネルを確立することと、第１のレーダーサブバンド中でレーダー信号を検出することと、レーダー信号を検出することに少なくとも部分的に基づいて２次チャネルを非レーダーサブバンドに移動することと、レーダー信号を検出することと２次チャネルを移動することとに少なくとも部分的に基づいて１次チャネルを第２のレーダーサブバンドに移動することとを含み得る。
【０００８】
[0008]ワイヤレス通信のための装置が説明される。本装置は、第１のレーダーサブバンド中で１次チャネルを確立し、第２のレーダーサブバンド中で２次チャネルを確立するためのチャネル確立構成要素と、第１のレーダーサブバンド中でレーダー信号を検出するためのレーダー検出器と、レーダー信号を検出することに少なくとも部分的に基づいて２次チャネルを非レーダーサブバンドに移動するための２次無線コントローラと、レーダー信号を検出することと２次チャネルを移動することとに少なくとも部分的に基づいて１次チャネルを第２のレーダーサブバンドに移動するための１次無線コントローラとを含み得る。
【０００９】
[0009]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、第１のレーダーサブバンド中で１次チャネルを確立し、第２のレーダーサブバンド中で２次チャネルを確立することと、第１のレーダーサブバンド中でレーダー信号を検出することと、レーダー信号を検出することに少なくとも部分的に基づいて２次チャネルを非レーダーサブバンドに移動することと、レーダー信号を検出することと２次チャネルを移動することとに少なくとも部分的に基づいて１次チャネルを第２のレーダーサブバンドに移動することとを行わせるように動作可能である。
【００１０】
[0010]ワイヤレス通信のためのコードを記憶する非一時的コンピュータ可読媒体が説明される。コードは、第１のレーダーサブバンド中で１次チャネルを確立し、第２のレーダーサブバンド中で２次チャネルを確立することと、第１のレーダーサブバンド中でレーダー信号を検出することと、レーダー信号を検出することに少なくとも部分的に基づいて２次チャネルを非レーダーサブバンドに移動することと、レーダー信号を検出することと２次チャネルを移動することとに少なくとも部分的に基づいて１次チャネルを第２のレーダーサブバンドに移動することとを行うために実行可能な命令を含み得る。
【００１１】
[0011]本明細書で説明される方法、装置、または非一時的コンピュータ可読媒体は、ソフトＡＰ特徴をアクティブにするためのプロセス、特徴、手段、または命令をさらに含み得、ここにおいて、１次チャネルおよび２次チャネルを確立することはソフトＡＰ特徴に少なくとも部分的に基づく。追加または代替として、いくつかの例は、１次チャネルおよび２次チャネルに少なくとも部分的に基づいてデュアル帯域幅容量を広告するためのプロセス、特徴、手段、または命令を含み得る。
【００１２】
[0012]本明細書で説明される方法、装置、または非一時的コンピュータ可読媒体は、第１のレーダーサブバンドおよび第２のレーダーサブバンドに対して成功したチャネル利用可能性検査（ＣＡＣ）検査を実行するためのプロセス、特徴、手段、または命令をさらに含み得、ここにおいて、１次チャネルおよび２次チャネルを確立することは、成功したＣＡＣ検査に少なくとも部分的に基づく。追加または代替として、いくつかの例は、２次チャネルを非レーダーサブバンドに移動することに少なくとも部分的に基づいて第３のレーダーサブバンドに対して成功したＣＡＣ検査を実行することと、第３のレーダーサブバンドに対する成功したＣＡＣ検査に少なくとも部分的に基づいて２次チャネルを第３のレーダーサブバンドに移動することとを行うためのプロセス、特徴、手段、または命令を含み得る。
【００１３】
[0013]本明細書で説明される方法、装置、または非一時的コンピュータ可読媒体は、１次チャネルを第２のレーダーサブバンドに移動することに少なくとも部分的に基づいて第１のレーダーサブバンドに対して成功したＣＡＣ検査を実行することと、第１のレーダーサブバンドに対する成功したＣＡＣ検査に少なくとも部分的に基づいて１次チャネルまたは２次チャネルのうちの１つを第１のレーダーサブバンドに移動することとを行うためのプロセス、特徴、手段、または命令をさらに含み得る。追加または代替として、いくつかの例は、ＣＡＣ検査を実行することが、チャネルのうちの一方に対してＣＡＣ検査をコンカレントに（concurrently）実行しながら、チャネルのうちの他方上で通信するために第１の無線機を使用することを備える、ためのプロセス、特徴、手段、または命令を含み得る。
【００１４】
[0014]ワイヤレス通信の方法が説明される。本方法は、非レーダーサブバンド中で１次チャネルを確立することと、１次チャネルに少なくとも部分的に基づいてシングル帯域幅容量を広告することと、シングル帯域幅容量を広告することの後に２次チャネルのためのレーダーサブバンドに対する成功したＣＡＣを完了することと、成功したＣＡＣに少なくとも部分的に基づいてレーダーサブバンド中で２次チャネルを確立することと、１次チャネルおよび成功したＣＡＣに少なくとも部分的に基づいてデュアル帯域幅容量を広告することとを含み得る。
【００１５】
[0015]ワイヤレス通信のための装置が説明される。本装置は、非レーダーサブバンド中で１次チャネルを確立するためのチャネル確立構成要素と、１次チャネルに少なくとも部分的に基づいてシングル帯域幅容量を広告するための広告構成要素と、シングル帯域幅容量を広告することの後に２次チャネルのためのレーダーサブバンドに対する成功したＣＡＣを完了するためのＣＡＣ構成要素と、成功したＣＡＣに少なくとも部分的に基づいてレーダーサブバンド中で２次チャネルを確立するためのチャネル確率構成要素と、１次チャネルおよび成功したＣＡＣに少なくとも部分的に基づいてデュアル帯域幅容量を広告するための広告構成要素とを含み得る。
【００１６】
[0016]ワイヤレス通信のための装置が説明される。本装置は、非レーダーサブバンド中で１次チャネルを確立するための手段と、１次チャネルに少なくとも部分的に基づいてシングル帯域幅容量を広告するための手段と、シングル帯域幅容量を広告することの後に２次チャネルのためのレーダーサブバンドに対する成功したＣＡＣを完了するための手段と成功したＣＡＣに少なくとも部分的に基づいてレーダーサブバンド中で２次チャネルを確立するための手段と、１次チャネルおよび成功したＣＡＣに少なくとも部分的に基づいてデュアル帯域幅容量を広告するための手段とを含み得る。
【００１７】
[0017]ワイヤレス通信のためのコードを記憶する非一時的コンピュータ可読媒体が説明される。コードは、非レーダーサブバンド中で１次チャネルを確立することと、１次チャネルに少なくとも部分的に基づいてシングル帯域幅容量を広告することと、シングル帯域幅容量を広告することの後に２次チャネルのためのレーダーサブバンドに対する成功したＣＡＣを完了することと、成功したＣＡＣに少なくとも部分的に基づいてレーダーサブバンド中で２次チャネルを確立することと、１次チャネルおよび成功したＣＡＣに少なくとも部分的に基づいてデュアル帯域幅容量を広告することとを行うために実行可能な命令を含み得る。
【００１８】
[0018]本明細書で説明される方法、装置、または非一時的コンピュータ可読媒体は、第２の無線機を使用してレーダーサブバンドに対してＣＡＣをコンカレントに実行しながら、第１の無線機を使用して１次チャネルを介して通信するためのプロセス、特徴、手段、または命令をさらに含み得る。追加または代替として、いくつかの例では、レーダーサブバンドは第１のレーダーサブバンドを備え、第２のレーダーサブバンドに対して第２の成功したＣＡＣを実行することと、レーダーサブバンドのリスト利用可能に第２のレーダーサブバンドを追加することと。
【００１９】
[0019]本明細書で説明される方法、装置、または非一時的コンピュータ可読媒体は、リストがしきい値数のサブバンドを含んでいると決定することと、デュアル帯域幅容量が決定に少なくとも部分的に基づくことを広告することとを行うためのプロセス、特徴、手段、または命令をさらに含み得る。追加または代替として、いくつかの例は、レーダーサブバンド中でレーダー信号を検出することと、レーダーサブバンド中でレーダー信号を検出することに少なくとも部分的に基づいて２次チャネルを異なるサブバンドに移動することとを行うためのプロセス、特徴、手段、または命令を含み得る。
【００２０】
[0020]開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明のみの目的で与えられ、特許請求の範囲の限界を定めるものではない。
【００２１】
[0021]本開示の性質および利点のさらなる理解は、以下の図面を参照して実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【図面の簡単な説明】
【００２２】
【図１】[0022]本開示の様々な態様に従って構成されたデュアル広帯域チャネルを使用するソフトアクセスポイント（ＡＰ）マスタモードのための（ワイヤレスフィデリティ（Ｗｉ−Ｆｉ（登録商標））ネットワークとしても知られる）ワイヤレスローカルエリアネットワーク（ＷＬＡＮ）１００を示す図
【図２】[0023]本開示の様々な態様による、デュアル広帯域チャネルを使用するソフトＡＰマスタモードをサポートするワイヤレス通信サブシステムの一例を示す図。
【図３】[0024]本開示の様々な態様による、デュアル広帯域チャネルを使用するソフトＡＰマスタモードをサポートする動的チャネル構成の一例を示す図。
【図４Ａ】[0025]本開示の様々な態様による、デュアル広帯域チャネルを使用するソフトＡＰマスタモードをサポートするプロセスフローの一例を示す図。
【図４Ｂ】[0026]本開示の様々な態様による、デュアル広帯域チャネルを使用するソフトＡＰマスタモードをサポートするプロセスフローの一例を示す図。
【図５】[0027]本開示の様々な態様による、デュアル広帯域チャネルを使用するソフトＡＰマスタモードをサポートするワイヤレスデバイスのブロック図。
【図６】[0028]本開示の様々な態様による、デュアル広帯域チャネルを使用するソフトＡＰマスタモードをサポートするワイヤレスデバイスのブロック図。
【図７】[0029]本開示の様々な態様による、デュアル広帯域チャネルを使用するソフトＡＰマスタモードをサポートするワイヤレスデバイスのブロック図。
【図８】[0030]本開示の様々な態様による、デュアル広帯域チャネルを使用するソフトＡＰマスタモードをサポートするワイヤレスデバイスを含むシステムのブロック図。
【図９】[0031]本開示の様々な態様による、デュアル広帯域チャネルを使用するソフトＡＰマスタモードのための方法を示す図。
【図１０】[0032]本開示の様々な態様による、デュアル広帯域チャネルを使用するソフトＡＰマスタモードのための方法を示す図。
【図１１】[0033]本開示の様々な態様による、デュアル広帯域チャネルを使用するソフトＡＰマスタモードのための方法を示す図。
【図１２】[0034]本開示の様々な態様による、デュアル広帯域チャネルを使用するソフトＡＰマスタモードのための方法を示す図。
【図１３】[0035]本開示の様々な態様による、デュアル広帯域チャネルを使用するソフトＡＰマスタモードのための方法を示す図。
【図１４】[0036]本開示の様々な態様による、デュアル広帯域チャネルを使用するソフトＡＰマスタモードのための方法を示す図。
【発明を実施するための形態】
【００２３】
[0037]説明される特徴は、一般に、デュアル広帯域チャネルを使用するソフトＡＰマスタモードのための改善されたシステム、方法、または装置に関する。いくつかのワイヤレス通信システムでは、マスタモードでソフトアクセスポイント（ＳＡＰ）として働く局（ＳＴＡ）は、ＳＴＡが同時に２つの異なるチャネルを介して通信し得るように、デュアル無線機を有し得る。ＳＴＡは、レーダー適用例（たとえば、空港レーダー、気象レーダーなど）のために予約されたチャネルにアクセスし、それらを介して通信し得る。したがって、ＳＴＡは、チャネル中に存在するレーダー信号を検出するように構成され得る（たとえば、デバイスは、動的周波数選択（ＤＦＳ）をサポートし、それに応じて周波数を変更し得る）。新しいチャネルを介して通信する前に、ＳＴＡは、新しいチャネルがレーダー適用例を現在サポートしているかどうかを決定するために時間期間（たとえば、６０秒）待ち得る（すなわち、ＳＴＡは、チャネル利用可能性検査（ＣＡＣ）を実行し得る）。ＣＡＣが成功した場合、ＳＴＡは、新しいチャネルに関連する通信能力を広告し得る。
【００２４】
[0038]マスタモードにあるＳＴＡは、非レーダーサブバンド（たとえば、無認可国内情報インフラストラクチャ１（ＵＮＩＩ１：unlicensed national information infrastructure 1））中の１次チャネルを介してＳＡＰ機能を用いて基本サービスセット（ＢＳＳ）を開始し得る。ＳＴＡは、レーダーサブバンド（たとえば、ＵＮＩＩ２）中の２次チャネルを選択し、ＣＡＣを始め得る。成功したＣＡＣの後に、および関連するクライアントがデュアル帯域幅容量をサポートする場合、ＳＴＡは２次チャネルを広告し得る。しかしながら、関連するクライアントがデュアル帯域幅容量をサポートしない場合、ＳＴＡは、デュアル帯域幅容量を広告することを控え、代わりに、他のレーダーサブバンドに対してＣＡＣを実行し続け、利用可能なチャネルのリストを生成するためにそれらの結果を使用し得る。利用可能なチャネルのリストがしきい値を満たすと、ＳＴＡは、関連するクライアントの機能にかかわらず、２次チャネルに関連する通信容量および能力を広告し得る。
【００２５】
[0039]ＳＴＡは、両方ともレーダーサブバンド中にある１次チャネルおよび２次チャネルを介してＢＳＳ動作を確立し得る。この事例では、２次チャネル中でのレーダー信号の検出は、ＳＴＡに、中断を回避するために２次チャネルを非レーダーチャネルに切り替えるように促し得る。ＳＴＡが１次チャネル中でレーダー信号を検出した場合、ＳＴＡは、１次チャネルを２次チャネルに切り替え得る。いくつかの場合には、ＳＴＡは、任意の利用可能な非レーダーサブバンドを使用して新しい２次チャネルを追加し得る。
【００２６】
[0040]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００２７】
[0041]図１は、本開示の様々な態様に従って構成された（Ｗｉ−Ｆｉネットワークとしても知られる）ＷＬＡＮ１００を示す。ＷＬＡＮ１００は、アクセスポイントＡＰ１０５と複数の局（ＳＴＡ）１１５とを含み得、複数のＳＴＡ１１５は、移動局、携帯情報端末（ＰＤＡ）、他のハンドヘルドデバイス、ネットブック、ノートブックコンピュータ、タブレットコンピュータ、ラップトップ、ディスプレイデバイス（たとえば、ＴＶ、コンピュータモニタなど）、プリンタなど、デバイスを表し得る。ＡＰ１０５および関連するＳＴＡ１１５は、基本サービスセット（ＢＳＳ）または拡張サービスセット（ＥＳＳ）を表し得る。ネットワーク中の様々なＳＴＡ１１５は、ＡＰ１０５を通して互いと通信することが可能である。また、ＷＬＡＮ１００の基本サービスエリア（ＢＳＡ）を表し得る、ＡＰ１０５のカバレージエリア１１０が示されている。
【００２８】
[0042]ＳＴＡ１１５は、別のＳＴＡ１１５とネットワーク１３０（たとえば、インターネット）などの外部ネットワークとの間の通信をサポートするように構成され得る。たとえば、ＳＴＡ１１５は、ＳＴＡ１１５がソフトＡＰ（ＳＡＰ）として働くことを可能にするマスタモードをサポートし得、すなわち、ＳＴＡ１１５は、ネットワーク１３０とＳＴＡ１１５との間の通信を可能にし得る。ＳＡＰに関連するＳＴＡ１１５は、ＡＰ１０５に関連するＢＳＳとは異なり得るＢＳＳを形成し得る。たとえば、いくつかのＳＴＡ１１５は、それらがＡＰ１０５または直接接続を介してネットワーク１３０にアクセスすることができないように、カバレージエリア１１０の外部にあり得る。そのような事例では、マスタモードにあるＳＴＡ１１５は、（たとえば、関連するＳＴＡ１１５を外部ネットワーク１３０に接続する）ネットワークサービスを与えるために、指定された名前およびチャネルに関連するネットワークを作成し得る。ＳＴＡ１１５は、マスタモードチャネルに一致するためにチャネルを切り替え、マスタモードＳＴＡ１１５に許容証明書を与えると、マスタモードＳＴＡ１１５に関連付けられ（すなわち、管理されたモードまたはクライアントモードにあり）得る。
【００２９】
[0043]マスタモードでＳＡＰとして働くＳＴＡ１１５は、デュアル無線構成を使用してクライアントＳＴＡ１１５と通信し得る。２つの無線機の使用は、マスタモードＳＴＡ１１５が、２つのチャネルを使用してオーバージエアで制御およびデータを交換することを可能にし得る（たとえば、ＳＴＡ１１５は、８０ＭＨｚ帯域が別の８０ＭＨｚ帯域とともに使用される８０２．１１ａｃ  ８０＋８０通信に関与し得る）。２つのチャネルは、１次チャネルおよび２次チャネルと呼ばれることがあり、制御およびデータなどの情報を伝達し得る。いくつかの場合には、１次チャネルは２次チャネルよりも多くの制御情報を搬送し得、したがって、いくつかの場合には、１次チャネルは２次チャネルよりも高い接続優先度を有し得る。
【００３０】
[0044]ＳＴＡ１１５によって使用される通信チャネルは、空港トラフィック制御および気象サービスなど、レーダー適用例のために割り振られたサブバンド内にあり得る。したがって、ＳＴＡ１１５とレーダー適用例の両方が同じチャネルを使用する通信を可能にすることを試みるとき、チャネル衝突が起こり得る。いくつかの場合には、レーダー適用例はＳＴＡ１１５に勝る優先度を与えられ得る（たとえば、レーダー適用例はチャネルを使用し続け得、ＳＴＡ１１５はチャネルをドロップし得る）。そのような場合、マスタモードＳＴＡ１１５は、通信をその上で続けるべき異なるチャネルを選択し得る。
【００３１】
[0045]マスタモードＳＴＡ１１５は、レーダーサブバンド中の、または非レーダーサブバンド中のチャネルを選択し得る。新しいチャネルがレーダーサブバンド中にある場合、ＳＴＡ１１５は、時間期間（たとえば、６０秒）の間新しいチャネル上でレーダー信号をリッスンすること（listening）によって、チャネル利用可能性検査（ＣＡＣ）を実行し得る。ＳＴＡ１１５がＣＡＣ中にレーダー信号を検出した場合、ＣＡＣは失敗したと言われ、ＳＴＡ１１５は再びチャネル周波数を変更し得る。ＳＴＡ１１５がレーダー信号を検出しない場合、ＣＡＣは成功したと言われ、ＳＴＡ１１５は、チャネルを使用して通信を再開し得る。
【００３２】
[0046]マスタモードＳＴＡ１１５は、ＢＳＳチャネルに関連する通信能力を広告し得る。たとえば、１次チャネルの確立時に、ＳＴＡ１１５はシングル帯域幅容量を広告し得る。ＳＴＡ１１５は、レーダーサブバンド中のチャネルに対してＣＡＣを実行しながら、１次チャネルを介した通信を開始し得る。ＳＴＡ１１５がレーダーサブバンドチャネルに対する成功したＣＡＣを完了すると、ＳＴＡ１１５は、２次チャネルとしてレーダーサブバンドチャネルを確立し、２次チャネル通信を始め得る。したがって、ＳＴＡ１１５は、２次チャネルに基づいてデュアル帯域幅容量を広告し得る。
【００３３】
[0047]マスタモードＳＴＡ１１５に関連するＳＴＡ１１５は、デュアル帯域幅通信をサポートしないことがある。これらの事例では、マスタモードＳＴＡ１１５は、関連するＳＴＡ１１５の能力を認識または検出し、それに応じて通信を調整し得る。たとえば、マスタモードにあるＳＴＡ１１５は、関連するＳＴＡの能力に基づいていくつかのチャネルに対してＣＡＣを実行することを決定し得る。マスタモードＳＴＡ１１５は、成功したＣＡＣに関連するチャネルのリストを生成し得、したがって、ＳＴＡ１１５は、将来においてチャネル選択を決定するために利用可能チャネルリストを参照し得る。
【００３４】
[0048]図１には示されていないが、ＳＴＡ１１５は、２つ以上のカバレージエリア１１０の共通部分にあり得、２つ以上のＡＰ１０５に関連し得る。単一のＡＰ１０５と、ＳＴＡ１１５の関連するセットとは、ＢＳＳと呼ばれることがある。ＥＳＳは、接続されたＢＳＳのセットである。ＥＳＳ中のＡＰを接続するために、配信システム（ＤＳ：distribution system）（図示せず）が使用され得る。いくつかの場合には、ＡＰ１０５のカバレージエリア１１０はセクタ（同じく図示せず）に分割され得る。ＷＬＡＮ１００は、異なる重複するカバレージエリア１１０をもつ、異なるタイプ（たとえば、メトロポリタンエリア、ホームネットワークなど）のＡＰ１０５を含み得る。２つのＳＴＡ１１５はまた、両方のＳＴＡ１１５が同じカバレージエリア１１０中にあるかどうかにかかわらず、直接ワイヤレスリンク１２５を介して直接通信し得る。直接ワイヤレスリンク１２０の例としては、Ｗｉ−Ｆｉ  Ｄｉｒｅｃｔ（登録商標）接続、Ｗｉ−Ｆｉトンネルドダイレクトリンクセットアップ（ＴＤＬＳ：Tunneled Direct Link Setup）リンク、および他のグループ接続があり得る。ＳＴＡ１１５およびＡＰは、ＩＥＥＥ８０２．１１、および限定はしないが、８０２．１１ｂ、８０２．１１ｇ、８０２．１１ａ、８０２．１１ｎ、８０２．１１ａｃ、８０２．１１ａｄ、８０２．１１ａｈなどを含むバージョンからの、物理（ＰＨＹ）レイヤおよび媒体アクセス制御（ＭＡＣ）レイヤのためのＷＬＡＮ無線およびベースバンドプロトコルに従って通信し得る。他の実装形態では、ピアツーピア接続またはアドホックネットワークがＷＬＡＮ１００内に実装され得る。
【００３５】
[0049]したがって、ＳＴＡ１１５は、マスタモードでソフトアクセスポイント（ＳＡＰ）として働き、同時に２つのチャネル（たとえば、１次チャネルおよび２次チャネル）を介して別のＳＴＡ１１５と通信し得る。マスタモードにあるＳＴＡ１１５は、通信チャネル中でのレーダー信号の検出に基づいて通信チャネルを切り替え得る。いくつかの場合には、マスタモードＳＴＡ１１５は、１次チャネルを２次チャネルに移動し、２次チャネルを新しいチャネルに移動し得る。新しいチャネルは、成功したＣＡＣに関連する利用可能なチャネルのリストに基づき得る。
【００３６】
[0050]図２は、本開示の様々な態様による、デュアル広帯域チャネルを使用するソフトＡＰマスタモードのためのワイヤレス通信サブシステム２００の一例を示す。ワイヤレス通信サブシステム２００は、図１を参照しながら本明細書で説明されたような、ＳＡＰとして働くように構成される得るＳＴＡ１１５−ａを含み得る。ワイヤレス通信サブシステム２００は、同じく図１を参照しながら本明細書で説明されたＳＴＡ１１５の例であり得る、ＳＴＡ１１５−ｂ、およびＳＴＡ１１５−ｃをも含み得る。ＳＴＡ１１５−ａは、ＢＳＳ中のＳＴＡ１１５のための接続サービスを与え得る。ワイヤレス通信サブシステムはまた、レーダー適用例のために指定された無認可国内情報インフラストラクチャ（ＵＮＩＩ）チャネル（たとえば、ＵＮＩＩ２、ＵＮＩＩ３など）など、レーダーサブバンド内の周波数を使用し得るレーダー２０５を採用し得る。いくつかの場合には、レーダー２０５は、レーダー２０５が動作のために使用する周波数帯域幅の使用について、ＳＴＡ１１５−ａに勝る優先度を有し得る。
【００３７】
[0051]ＳＴＡ１１５−ａは、ネットワーク（図示せず）とＳＴＡ１１５との間の仮想接続として働き得る。ＳＴＡ１１５は、ＡＰ（図示せず）に関連するカバレージエリア１１０−ａ内にあるかまたはそれの外部にあり得るたとえば、ＳＴＡ１１５−ａは、ＳＴＡ１１５−ｂがインターネットなどの外部ネットワークに接続し得るように、マスタモードにあり得る。いくつかの場合には、ＳＴＡ１１５−ｂおよびＳＴＡ１１５−ａはデュアル帯域幅通信をサポートし得、すなわち、ＳＴＡ１１５−ｂとＳＴＡ１１５−ａとは２つのチャネルを介して情報を交換し得る。デュアル帯域幅通信は、複数の無線機、または異なる周波数帯域のための複数の構成要素をもつ単一の無線機の使用を伴い得る。他のＳＴＡ１１５はデュアル帯域幅対応でないことがある。たとえば、ＳＴＡ１１５−ａは、単一のチャネルを介してＳＴＡ１１５−ｃと通信し得る。ＳＴＡ１１５−ａのチャネルの一方または両方の通信がレーダーサブバンド中である場合、レーダー２０５がＳＴＡ１１５−ｂおよびＳＴＡ１１５−ａと同時にチャネルを使用することを試みる時間があり得る。そのような事例では、ＳＴＡ１１５−ａは、レーダー２０５からのレーダー信号を検出し、検出に基づいて異なるチャネルに切り替わり得る。
【００３８】
[0052]一例では、ＳＴＡ１１５−ａは、その各々がレーダーサブバンド内にある１次チャネルおよび２次チャネルを介してＢＳＳ機能を確立し得る。ＳＴＡ１１５−ａは、通信を始める前に、両方のチャネルについてＣＡＣを実行し得る。しかしながら、ある時点において、ＳＴＡ１１５−ａは、１次チャネルを介したレーダー２０５からのレーダー信号を検出し得る。レーダー信号が検出されると、ＳＴＡ１１５−ａは１次チャネルを２次チャネルに移動し得る。したがって、ＳＡＰ１０５−ａは、２次チャネルを、レーダーサブバンドまたは非レーダーサブバンド中にあり得る新しいチャネルに移動し得る。いくつかの場合には、ＳＴＡ１１５−ａは、２次チャネル上でレーダー信号を検出し得る。そのような事例では、ＳＴＡ１１５−ａは、同じ１次チャネルを維持しながら、２次チャネルを新しい周波数に切り替え得る。
【００３９】
[0053]別の例では、ＳＴＡ１１５−ａは、非レーダーサブバンド中の１次チャネルとレーダーサブバンド中の２次チャネルとを介してＢＳＳ動作を確立し得る。２次チャネルの選択時に、ＳＴＡ１１５−ａは、レーダー適用例に関連する信号があるかどうかを決定するためにＣＡＣを実行し得る。ＣＡＣが成功した（すなわち、チャネルにレーダー信号がない）場合、ＳＴＡ１１５−ａは、２次チャネルに関連するデュアル帯域幅通信容量を広告し得る。いくつかの場合には、ＳＴＡ１１５−ａは、他のレーダーチャネルについてＣＡＣを実行し続け得る。したがって、ＳＴＡ１１５−ａは、将来の使用のために、成功したＣＡＣに関連する利用可能なチャネルのリストを構築し得る。たとえば、ＳＴＡ１１５−ａがチャネル上でレーダー信号を検出し、新しいチャネルに切り替わることを決定したとき、ＳＴＡ１１５−ａは、利用可能なレーダーサブバンドのリストに基づいて新しいチャネルを選択し得る。
【００４０】
[0054]したがって、マスタモードＳＴＡ１１５は、同時に２つのチャネル（たとえば、１次チャネルおよび２次チャネル）を使用して別のＳＴＡ１１５と通信し得る。レーダーチャネルはレーダーサブバンドまたは非レーダーサブバンド中にあり得る。マスタモードＳＴＡ１１５が１次チャネル上でレーダーブラスト（radar blast）を検出した場合、ＳＴＡ１１５は、１次チャネルを２次チャネルに移動し得る。デュアル帯域幅通信をサポートし続けるために、ＳＴＡ１１５は、２次チャネルを非レーダーサブバンド中のチャネルに切り替え得る。しかしながら、いくつかの場合には、ＳＴＡは、２次チャネルをレーダーチャネルに移動を選定し得る。ＳＴＡ１１５が２次チャネル上でレーダー信号を検出した場合、ＳＴＡ１１５は、検出に基づいて２次チャネルを異なる周波数に移動し得る。いくつかの場合には、ＳＴＡ１１５は、関連するクライアントがデュアル帯域幅通信をサポートすることが可能であるかどうかを決定し、それに応じて通信を調整し得る。２つの通信チャネル（レーダーまたは非レーダー）を確立した後でさえ、マスタモードＳＴＡ１１５は、他のチャネルが現在、レーダー信号によって占有されているかどうかを決定するためにそれらのチャネルに対してチャネル利用可能性検査（ＣＡＣ）を実行し続け得る。ＳＴＡ１１５は、テーブル中の成功したＣＡＣに関連するチャネルを追跡する。
【００４１】
[0055]図３は、本開示の様々な態様による、デュアル広帯域チャネルを使用するソフトＡＰマスタモードのための動的チャネル構成３００の一例を示す。動的チャネル構成３００は、第１のチャネル３０５と、第２のチャネル３１０と、第３のチャネル３１５とを含み得、その各々は、図１〜図２を参照しながら説明されたような、ＳＡＰ１０５の通信に関連し得る。第１のチャネル３０５、第２のチャネル３１０、および第３のチャネル３１５は、レーダーサブバンドまたは非レーダーサブバンド内の周波数であり得る。第１のチャネル３０５、第２のチャネル３１０、および第３のチャネル３１５は、ＳＴＡ１１５が他のＳＴＡ１１５のためのＳＡＰとして働き得るように、マスタモードをサポートすることが可能であるＳＴＡ１１５に関連し得る。動的チャネル構成３００はまた、図１を参照しながら説明されたようにＡＰ１０５によって使用され得る。
【００４２】
[0056]したがって、マスタモードにあるＳＴＡ１１５は、ＢＳＳの１次チャネルに関連するように第１のチャネル３０５を選択し得る（たとえば、ＳＴＡ１１５は、第１のチャネル３０５を介して１次チャネル通信３２０を伝達し得る）。ＳＴＡ１１５はまた、ＢＳＳの２次チャネルに関連するように第２のチャネル３１０を選択し得る（たとえば、ＳＴＡ１１５は、第２のチャネル３１０を介して２次通信３２５を伝達し得る）。ＳＴＡ１１５は、第３のチャネル３１５を通信のために利用可能なチャネルとして識別し得る。いくつかの例では、第３のチャネル３１５は、図２を参照しながら説明されたような、利用可能チャネルリストに関連し得る。したがって、時間期間３３５中に、１次チャネルは第１のチャネル３０５であり、２次チャネルは３１０であり、第３のチャネル３１５はＢＳＳ通信に関連しない。
【００４３】
[0057]ＳＴＡ１１５は第１のチャネル３０５上でレーダー信号を検出し、したがって、第１のチャネル３０５を１次チャネル通信３２０のために利用不可能にし得る。したがって、ＳＴＡ１１５は１次チャネル通信３２０を第２のチャネル３１０に切り替え、それにより、レーダー適用例のために第１のチャネル３０５を解放し得る（すなわち、第２のチャネル３１０はＢＳＳのための１次チャネルになり得る）。
【００４４】
[0058]ＳＴＡ１１５は、２次チャネル通信３２５との第２のチャネルの関連付けにより、第２のチャネル３１０についてＣＡＣを実行することを控え得る（すなわち、第２のチャネル３１０は、ＳＴＡ１１５が、最初に、２次チャネル通信３２５を伝達するように第２のチャネルを選択したときに実行された成功したＣＡＣに関連し得る）。したがって、ＳＴＡ１１５は、ＣＡＣをスキップし、１次チャネル通信３２０を直ちに始めることによって、通信の中断または遅延を回避し得る。
【００４５】
[0059]１次チャネル通信３２０を第２のチャネル３１０に移動することは、第２のチャネル３１０を２次チャネル通信３２５のために利用不可能にし得る。したがって、ＳＴＡ１１５は、２次チャネル通信３２５を伝達するように新しいチャネルを選択し得る。たとえば、ＳＴＡ１１５は、２次チャネル通信３２５に関連するように第３のチャネル３１５を選定し得る（すなわち、第３のチャネル３１５は、ＢＳＳのための２次チャネルになり得る）。したがって、時間期間３４０中に、第１のチャネル３０５はレーダー通信を伝達し得、第２のチャネル３１０はＢＳＳの１次チャネルであり得、第３のチャネル３１５はＢＳＳの２次チャネルであり得る。
【００４６】
[0060]図４Ａは、本開示の様々な態様による、デュアル広帯域チャネルを使用するソフトＡＰマスタモードのためのプロセスフロー４０１の一例を示す。プロセスフロー４０１はまた、図１〜図２を参照しながら本明細書で説明されたＳＴＡ１１５の一例であり得る、ＳＴＡ１１５−ｆを含み得る。プロセスフロー４０１は、図１〜図２を参照しながら本明細書で説明されたＳＴＡ１１５の一例であり得る、ＳＴＡ１１５−ｅを含み得、すなわち、ＳＴＡ１１５−ｅは、マスタモードをサポートし、ＳＴＡ１１５−ｆのためのＳＡＰとして働き得る。レーダー２０５−ａもプロセスフロー４０１中に含まれ得る。
【００４７】
[0061]４０５において、ＳＴＡ１１５−ｅは、第１のレーダーサブバンドおよび第２のレーダーサブバンドに対して成功したチャネル利用可能性検査（ＣＡＣ）を実行する。いくつかの事例では、１次チャネルおよび２次チャネルを確立することは、成功したＣＡＣに少なくとも部分的に基づき得る。ＳＴＡ１１５−ｅはまた、ソフトＡＰ特徴をアクティブにし得る。
【００４８】
[0062]４１０において、ＳＴＡ１１５−ｅは第１のレーダーサブバンド中で１次チャネルを確立し、４１５において、ＳＴＡ１１５−ｅは第２のレーダーサブバンド中で２次チャネルを確立する。１次チャネルおよび２次チャネルを確立することは、ソフトＡＰ動作に少なくとも部分的に基づき得る。いくつかの場合には、ＳＴＡ１１５−ｅは、１次チャネルおよび２次チャネルに少なくとも部分的に基づいてデュアル帯域幅容量を広告し得る。４２０において、ＳＴＡ１１５−ｅは、通信のために利用可能な第３のレーダーサブバンドまたは非レーダーサブバンドを識別する。
【００４９】
[0063]４２５において、ＳＴＡ１１５−ｅは、第１のレーダーサブバンド中でレーダー信号を検出する。それに応じて、４３０において、ＳＴＡ１１５−ｅは、２次チャネルを非レーダーサブバンドに移動する。２次チャネルの移動は、レーダー信号を検出することに少なくとも部分的に基づき得る。ＳＴＡ１１５−ｅはまた、１次チャネルを第２のレーダーサブバンドに移動し得る。１次チャネルの移動は、レーダー信号を検出することに少なくとも部分的に基づき得る。
【００５０】
[0064]いくつかの場合には、ＳＴＡ１１５−ｅは、２次チャネルを非レーダーサブバンドに移動することに少なくとも部分的に基づいて第３のレーダーサブバンドに対して成功したＣＡＣを実行し得る。ＳＴＡ１１５−ｅは、第３のレーダーサブバンドに対する成功したＣＡＣに少なくとも部分的に基づいて２次チャネルを第３のレーダーサブバンドに移動し得る。
【００５１】
[0065]いくつかの場合には、ＳＴＡ１１５−ｅは、１次チャネルを第２のレーダーサブバンドに移動することに少なくとも部分的に基づいて第１のレーダーサブバンドに対して後続のＣＡＣを実行し得る。ＳＴＡ１１５−ｅは、第１のレーダーサブバンドに対する成功したＣＡＣに少なくとも部分的に基づいて１次チャネルまたは２次チャネルのうちの１つを第１のレーダーサブバンドに移動し得る。いくつかの場合には、ＣＡＣを実行することは、チャネルのうちの一方に対してＣＡＣをコンカレントに実行しながら、チャネルのうちの他方上で通信するために第１の無線機を使用することを含み得る。
【００５２】
[0066]図４Ｂは、本開示の様々な態様による、デュアル広帯域チャネルを使用するソフトＡＰマスタモードのためのプロセスフロー４０２の一例を示す。プロセスフロー４０２はまた、図１〜図２を参照しながら本明細書で説明されたＳＴＡ１１５の一例であり得る、ＳＴＡ１１５−ｈを含み得る。プロセスフロー４０２は、図１〜図２を参照しながら本明細書で説明されたＳＴＡ１１５の一例であり得る、ＳＴＡ１１５−ｇを含み得、すなわち、ＳＴＡ１１５−ｇは、マスタモードをサポートし、ＳＴＡ１１５−ｈのためのＳＡＰとして働き得る。
【００５３】
[0067]４３５において、ＳＴＡ１１５−ｇは、非レーダーサブバンド中で１次チャネルを確立する。４４０において、ＳＴＡ１１５−ｇは、１次チャネルに少なくとも部分的に基づいてシングル帯域幅容量を広告する。
【００５４】
[0068]４４５において、ＳＴＡ１１５−ｇは、２次チャネルのためのレーダーサブバンドに対する成功したＣＡＣを完了する。ＣＡＣは、シングル帯域幅容量を広告することの後に実行され得る。４５０において、ＳＴＡ１１５−ｇは、成功したＣＡＣに少なくとも部分的に基づいてレーダーサブバンド中で２次チャネルを確立する。したがって、４５５において、ＳＴＡ１１５−ｇは、１次チャネルおよび成功したＣＡＣに少なくとも部分的に基づいてデュアル帯域幅容量を広告する。
【００５５】
[0069]いくつかの場合には、ＳＴＡ１１５−ｇは、第２の無線機を使用してレーダーサブバンドに対してＣＡＣをコンカレントに実行しながら、第１の無線機を使用して１次チャネルを介して通信し得る。
【００５６】
[0070]ＳＴＡ１１５−ｇはまた、第２のレーダーサブバンドに対して第２の成功したＣＡＣを実行し得る。いくつかの場合には、ＳＴＡ１１５−ｇは、利用可能なサブバンド（たとえば、成功したＣＡＣに関連するサブバンド）のリストを維持し得る。したがって、ＳＴＡ１１５−ｇは、第２のレーダーサブバンドを追加することによって利用可能なサブバンドのリストを更新し得る。いくつかの例では、ＳＴＡ１１５−ｇは、リストがしきい値数のサブバンドを含んでいると決定し得る。したがって、いくつかの場合には、デュアル帯域幅容量を広告することは、決定に基づき得る。
【００５７】
[0071]いくつかの場合には、ＳＴＡ１１５−ｇは、レーダーサブバンド中でレーダー信号を検出し得る。したがって、ＳＴＡ１１５−ｇは、２次チャネルを異なるサブバンドに移動し得る。２次チャネルの移動は、レーダーサブバンド中でレーダー信号を検出することに少なくとも部分的に基づき得る。
【００５８】
[0072]図５は、本開示の様々な態様による、デュアル広帯域チャネルを使用するソフトＡＰマスタモードのために構成されたワイヤレスデバイス５００のブロック図を示す。ワイヤレスデバイス５００は、図１〜図４を参照しながら説明されたＳＴＡ１１５の態様の一例であり得る。ワイヤレスデバイス５００は、受信機５０５、デュアル無線コントローラ５１０、または送信機５１５を含み得る。ワイヤレスデバイス５００はプロセッサをも含み得る。これらの構成要素の各々は互いに通信していることがある。
【００５９】
[0073]受信機５０５は、パケット、ユーザデータ、または様々な情報チャネルに関連する制御情報（たとえば、制御チャネル、データチャネル、およびデュアル広帯域チャネルを使用するソフトＡＰマスタモードに関係する情報など）などの情報を受信し得る。情報は、デュアル無線コントローラ５１０に、およびワイヤレスデバイス５００の他の構成要素に受け渡され得る。
【００６０】
[0074]デュアル無線コントローラ５１０は、第１のレーダーサブバンド中で１次チャネルを確立し、第２のレーダーサブバンド中で２次チャネルを確立することと、第１のレーダーサブバンド中でレーダー信号を検出することと、レーダー信号を検出することに少なくとも部分的に基づいて２次チャネルを非レーダーサブバンドに移動することと、レーダー信号を検出することと２次チャネルを移動することとに少なくとも部分的に基づいて１次チャネルを第２のレーダーサブバンドに移動することとを行い得る。
【００６１】
[0075]送信機５１５は、ワイヤレスデバイス５００の他の構成要素から受信された信号を送信し得る。いくつかの例では、送信機５１５は、トランシーバモジュール中で受信機５０５とコロケートされ得る。送信機５１５は単一のアンテナを含み得るか、またはそれは複数のアンテナを含み得る。
【００６２】
[0076]図６は、本開示の様々な態様による、デュアル広帯域チャネルを使用するソフトＡＰマスタモードのためのワイヤレスデバイス６００のブロック図を示す。ワイヤレスデバイス６００は、図１〜図５を参照しながら説明されたワイヤレスデバイス５００またはＳＴＡ１１５の態様の一例であり得る。ワイヤレスデバイス６００は、受信機５０５−ａ、デュアル無線コントローラ５１０−ａ、または送信機５１５−ａを含み得る。ワイヤレスデバイス６００はプロセッサをも含み得る。これらの構成要素の各々は互いに通信していることがある。デュアル無線コントローラ５１０−ａは、チャネル確立マネージャ６０５と、レーダー検出器６１０と、２次無線コントローラ６１５と、１次無線コントローラ６２０とをも含み得る。
【００６３】
[0077]受信機５０５−ａは、デュアル無線コントローラ５１０−ａに、およびワイヤレスデバイス６００の他の構成要素に受け渡され得る情報を受信し得る。デュアル無線コントローラ５１０−ａは、図５を参照しながら本明細書で説明された動作を実行し得る。送信機５１５−ａは、ワイヤレスデバイス６００の他の構成要素から受信された信号を送信し得る。
【００６４】
[0078]チャネル確立マネージャ６０５は、図２〜図４を参照しながら本明細書で説明されたように、第１のレーダーサブバンド中で１次チャネルを確立し、第２のレーダーサブバンド中で２次チャネルを確立し得る。チャネル確立マネージャ６０５はまた、非レーダーサブバンド中で１次チャネルを確立し得る。チャネル確立マネージャ６０５は、成功したＣＡＣに少なくとも部分的に基づいてレーダーサブバンド中で２次チャネルを確立し得る。
【００６５】
[0079]レーダー検出器６１０は、図２〜図４を参照しながら本明細書で説明されたように、レーダーサブバンド中でレーダー信号を検出し得る。
【００６６】
[0080]２次無線コントローラ６１５は、図２〜図４を参照しながら本明細書で説明されたように、レーダー信号を検出することに少なくとも部分的に基づいて２次チャネルを非レーダーサブバンドに移動し得る。２次無線コントローラ６１５はまた、第３のレーダーサブバンドに対する成功したＣＡＣに少なくとも部分的に基づいて２次チャネルを第３のレーダーサブバンドに移動し得る。２次無線コントローラ６１５はまた、レーダーサブバンド中でレーダー信号を検出することに少なくとも部分的に基づいて２次チャネルを異なるサブバンドに移動し得る。
【００６７】
[0081]１次無線コントローラ６２０は、図２〜図４を参照しながら本明細書で説明されたように、レーダー信号を検出することと２次チャネルを移動することとに少なくとも部分的に基づいて１次チャネルを第２のレーダーサブバンドに移動し得る。１次無線コントローラ６２０はまた、第２の無線機を使用してレーダーサブバンドに対してＣＡＣをコンカレントに実行しながら、第１の無線機を使用して１次チャネルを介して通信し得る。
【００６８】
[0082]図７は、本開示の様々な態様による、デュアル広帯域チャネルを使用するソフトＡＰマスタモードのために構成されたＳＴＡ１１５−ｉを含むシステム７００の図を示す。ＳＴＡ１１５−ｉは、図１、図２および図５〜図７を参照しながら本明細書で説明されたワイヤレスデバイス５００、ワイヤレスデバイス６００、またはＳＴＡ１１５の一例であり得る。ＳＴＡ１１５−ｉは、図５〜図６を参照しながら説明されたデュアル無線コントローラの一例であり得る、デュアル無線コントローラ５１０−ｂを含み得る。ＳＴＡ１１５−ｉは、通信を送信するための構成要素と通信を受信するための構成要素とを含む、双方向音声およびデータ通信のための構成要素をも含み得る。たとえば、ＳＴＡ１１５−ｉは、ＡＰ１０５（図示せず）またはＳＴＡ１１５（たとえば、ＳＴＡ１１５−ｊおよびＳＴＡ１１５−ｋ）と双方向に通信し得る。ＳＴＡ１１５−ｉは、ネットワーク通信マネージャ７４５を通して外部ネットワーク１３０−ａと通信し得る。いくつかの場合には、ＳＴＡ１１５−ｉは、ネットワーク１３０−ａと図１〜図４を参照しながら説明されたようなＳＴＡ１１５との間の通信を可能にする。
【００６９】
[0083]デュアル無線コントローラ５１０−ｂは、チャネル確立マネージャ６０５−ａと、レーダー検出器６１０−ａと、２次無線コントローラ６１５−ａと、１次無線コントローラ６２０−ａとを含み得る。これらのモジュールの各々は、図６を参照しながら本明細書で説明された機能を実行し得る。デュアル無線コントローラ５１０−ｂは、ソフトＡＰマスタコントローラ７０５と、広告マネージャ７１０と、ＣＡＣマネージャ７１５と、レーダーサブバンドリストマネージャ７２５とをも含み得る。
【００７０】
[0084]ソフトＡＰマスタコントローラ７０５は、ソフトＡＰ特徴をアクティブにし得る。いくつかの場合には、１次チャネルおよび２次チャネルを確立することは、図２〜図４を参照しながら本明細書で説明されたように、ソフトＡＰ特徴に少なくとも部分的に基づき得る。
【００７１】
[0085]広告マネージャ７１０は、図２〜図４を参照しながら本明細書で説明されたように、１次チャネルおよび２次チャネルに少なくとも部分的に基づいてデュアル帯域幅容量を広告し得る。広告マネージャ７１０はまた、１次チャネルに少なくとも部分的に基づいてシングル帯域幅容量を広告し得る。広告マネージャ７１０はまた、１次チャネルおよび成功したＣＡＣに少なくとも部分的に基づいてデュアル帯域幅容量を広告し得る。広告マネージャ７１０はまた、デュアル帯域幅容量が決定に少なくとも部分的に基づくことを広告し得る。
【００７２】
[0086]ＣＡＣマネージャ７１５は、図２〜図４を参照しながら本明細書で説明されたように、第１のレーダーサブバンドおよび第２のレーダーサブバンドに対して成功したチャネル利用可能性検査（ＣＡＣ）を実行し得、ここにおいて、１次チャネルおよび２次チャネルを確立することは、成功したＣＡＣに少なくとも部分的に基づく。ＣＡＣマネージャ７１５はまた、２次チャネルを非レーダーサブバンドに移動することに少なくとも部分的に基づいて第３のレーダーサブバンドに対して成功したＣＡＣを実行し得る。ＣＡＣマネージャ７１５は、１次チャネルを第２のレーダーサブバンドに移動することに少なくとも部分的に基づいて第１のレーダーサブバンドに対してＣＡＣを実行し得る。いくつかの場合には、ＣＡＣを実行することは、チャネルのうちの一方に対してＣＡＣをコンカレントに実行しながら、チャネルのうちの他方上で通信するために第１の無線機を使用することを備える。ＣＡＣマネージャ７１５は、シングル帯域幅容量を広告することの後に２次チャネルのためのレーダーサブバンドに対するＣＡＣを完了し得る。
【００７３】
[0087]デュアル無線コントローラ７２０は、図２〜図４を参照しながら本明細書で説明されたように、第１のレーダーサブバンドに対する成功したＣＡＣに少なくとも部分的に基づいて１次チャネルまたは２次チャネルのうちの１つを第１のレーダーサブバンドに移動し得る。
【００７４】
[0088]レーダーサブバンドリストマネージャ７２５は、図２〜図４を参照しながら本明細書で説明されたように、利用可能なレーダーサブバンドのリストにレーダーサブバンドを追加し得る。レーダーサブバンドリストマネージャ７２５はまた、リストがしきい値数のサブバンドを含んでいると決定し得る。
【００７５】
[0089]ＳＴＡ１１５−ｉはまた、プロセッサ７３０と、（ソフトウェア（ＳＷ）７４０を含む）メモリ７３５と、トランシーバ７５５と、（１つまたは複数の）アンテナ７６０とを含み得、その各々は、（たとえば、バス７５０を介して）互いと直接または間接的に通信し得る。トランシーバ７５５は、上記で説明されたように、（１つまたは複数の）アンテナ７６０あるいはワイヤードリンクまたはワイヤレスリンクを介して、ネットワークと双方向に通信し得る。たとえば、トランシーバ７５５は、ＡＰ１０５または別のＳＴＡ１１５と双方向に通信し得る。トランシーバ７５５は、パケットを変調し、変調されたパケットを送信のために（１つまたは複数の）アンテナ７６０に与え、（１つまたは複数の）アンテナ７６０から受信されたパケットを復調するためのモデムを含み得る。ＳＴＡ１１５−ｉは単一のアンテナ７６０を含み得るが、ＳＴＡ１１５−ｉはまた、複数のワイヤレス送信をコンカレントに送信または受信することが可能な複数のアンテナ７６０を有し得る。たとえば、アンテナ７６０は、ＳＴＡ１１５−ｉが同時に２つのチャネルを介して通信し得るように、デュアル無線機に関連し得る。
【００７６】
[0090]メモリ７３５は、ランダムアクセスメモリ（ＲＡＭ）および読取り専用メモリ（ＲＯＭ）を含み得る。メモリ７３５は、実行されたとき、プロセッサ７３０に本明細書で説明される様々な機能（たとえば、デュアル広帯域チャネルを使用するソフトＡＰマスタモードなど）を実行させる命令を含むコンピュータ可読、コンピュータ実行可能ソフトウェア／ファームウェアコード７４０を記憶し得る。代替的に、ソフトウェア／ファームウェアコード７４０は、プロセッサ７３０によって直接的に実行可能でないことがあるが、（たとえば、コンパイルされ実行されたとき）コンピュータに本明細書で説明される機能を実行させ得る。プロセッサ７３０は、インテリジェントハードウェアデバイス（たとえば、中央処理ユニット（ＣＰＵ）、マイクロコントローラ、ＡＳＩＣなど）を含み得る。
【００７７】
[0091]ワイヤレスデバイス５００、ワイヤレスデバイス６００、またはデュアル無線コントローラ５１０の構成要素は、適用可能な機能の一部または全部をハードウェアで実行するように適応された少なくとも１つのＡＳＩＣを用いて、個々にまたはまとめて実装され得る。代替的に、それらの機能は、他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、ＦＰＧＡ、および別のセミカスタムＩＣ）が使用され得る。各ユニットの機能はまた、全体的または部分的に、汎用または特定用途向けプロセッサによって実行されるようにフォーマットされた、メモリに組み込まれた命令を用いて実装され得る。
【００７８】
[0092]図８は、本開示の様々な態様による、デュアル広帯域チャネルを使用するソフトＡＰマスタモードのために構成されたＳＴＡ１１５−ｌを含むシステム８００の図を示す。ＳＴＡ１１５−ｌは、図１、図２、および図４〜図７を参照しながら本明細書で説明されたワイヤレスデバイス５００、ワイヤレスデバイス６００、またはＳＴＡ１１５の一例であり得る。ＳＴＡ１１５−ｌは、プロセッサ７３０−ａと、メモリ７３５−ａと、トランシーバ７５５−ａと、（１つまたは複数の）アンテナ７６０−ａとを含み得、その各々は、図７を参照しながら上記で説明された機能を実行し得、その各々は、（たとえば、バスシステム７５０−ａを介して）互いと直接または間接的に通信し得る。
【００７９】
[0093]本例では、メモリ７３５−ａは、デュアル無線コントローラ５１０−ｃの機能を実行するソフトウェアを含み得る。たとえば、メモリ７３５−ａは、コンパイルされ実行されたとき、図５〜図７を参照しながら説明されたような、チャネル確立マネージャ６０５−ｂ、レーダー検出器６１０−ｂ、２次無線コントローラ６１５−ｂ、１次無線コントローラ６２０−ｂ、ソフトＡＰマスタコントローラ７０５−ａ、広告マネージャ７１０−ａ、ＣＡＣマネージャ７１５−ａ、およびレーダーサブバンドリストマネージャ７２５−ａの機能を実行するソフトウェアを含み得る。いくつかの場合には、デュアル無線コントローラ５１０−ｃの機能のサブセットはメモリ７３５−ａに含まれ、他の場合には、機能のすべては、ＳＴＡ１１５−ｌにデュアル無線コントローラ５１０−ｃの機能を実行させるためにプロセッサ７３０−ａによって実行されるソフトウェアとして実装され得る。たとえば、チャネル確立マネージャ６０５−ｂおよびレーダー検出器６１０−ｄの機能はメモリ７３５−ａ含まれるソフトウェアによって達成され得、２次無線コントローラ６１５−ｂ、１次無線コントローラ６２０−ｂ、ソフトＡＰマスタコントローラ７０５−ａ、広告マネージャ７１０−ａ、ＣＡＣマネージャ７１５−ａ、およびレーダーサブバンドリストマネージャ７２５−ａの機能はハードウェアを使用して達成され得る。機能の分布にかかわらず、ＳＴＡ１１５−ｌは、ＳＴＡ１１５−ｍまたはＳＴＡ１１５−ｎのためのＳＡＰとして働くために、本明細書で説明される機能を実装し得る。
【００８０】
[0094]図９は、本開示の様々な態様による、デュアル広帯域チャネルを使用するソフトＡＰマスタモードのための方法９００を示すフローチャートを示す。方法９００の動作は、図１〜図８を参照しながら説明されたように、ＳＴＡ１１５またはそれの構成要素によって実装され得る。たとえば、方法９００の動作は、図５〜図８を参照しながら説明されたように、デュアル無線コントローラ５１０によって実行され得る。いくつかの例では、ＡＰ１０５は、以下で説明される機能を実行するようにＳＴＡ１１５の機能要素を制御するためのコードのセットを実行し得る。追加または代替として、ＳＴＡ１１５は、専用ハードウェアを使用して、以下で説明される機能態様を実行し得る。
【００８１】
[0095]ブロック９０５において、ＳＴＡ１１５は、図２〜図４を参照しながら本明細書で説明されたように、第１のレーダーサブバンド中で１次チャネルを確立し、第２のレーダーサブバンド中で２次チャネルを確立する。いくつかの例では、ブロック９０５の動作は、図６を参照しながら本明細書で説明されたように、チャネル確立マネージャ６０５によって実行され得る。
【００８２】
[0096]ブロック９１０において、ＳＴＡ１１５は、図２〜図４を参照しながら本明細書で説明されたように、第１のレーダーサブバンド中でレーダー信号を検出する。いくつかの例では、ブロック９１０の動作は、図６を参照しながら本明細書で説明されたように、レーダー検出器６１０によって実行され得る。
【００８３】
[0097]ブロック９１５において、ＳＴＡ１１５は、図２〜図４を参照しながら本明細書で説明されたように、レーダー信号を検出することに少なくとも部分的に基づいて２次チャネルを非レーダーサブバンドに移動する。いくつかの例では、ブロック９１５の動作は、図６を参照しながら本明細書で説明されたように、２次無線コントローラ６１５によって実行され得る。
【００８４】
[0098]ブロック９２０において、ＳＴＡ１１５は、図２〜図４を参照しながら本明細書で説明されたように、レーダー信号を検出することと２次チャネルを移動することとに少なくとも部分的に基づいて１次チャネルを第２のレーダーサブバンドに移動する。いくつかの例では、ブロック９２０の動作は、図６を参照しながら本明細書で説明されたように、１次無線コントローラ６２０によって実行され得る。
【００８５】
[0099]図１０は、本開示の様々な態様による、デュアル広帯域チャネルを使用するソフトＡＰマスタモードのための方法１０００を示すフローチャートを示す。方法１０００の動作は、図１〜図８を参照しながら説明されたように、ＳＴＡ１１５またはそれの構成要素によって実装され得る。たとえば、方法１０００の動作は、図５〜図８を参照しながら説明されたように、デュアル無線コントローラ５１０によって実行され得る。いくつかの例では、ＳＴＡ１１５は、以下で説明される機能を実行するようにＳＴＡ１１５の機能要素を制御するためのコードのセットを実行し得る。追加または代替として、ＳＴＡ１１５は、専用ハードウェアを使用して、以下で説明される機能態様を実行し得る。方法１０００はまた、図９の方法９００の態様を組み込み得る。
【００８６】
[0100]ブロック１００５において、ＳＴＡ１１５は、図２〜図４を参照しながら本明細書で説明されたように、第１のレーダーサブバンド中で１次チャネルを確立し、第２のレーダーサブバンド中で２次チャネルを確立する。いくつかの例では、ブロック１００５の動作は、図６を参照しながら本明細書で説明されたように、チャネル確立マネージャ６０５によって実行され得る。
【００８７】
[0101]ブロック１０１０において、ＳＴＡ１１５は、図２〜図４を参照しながら本明細書で説明されたように、第１のレーダーサブバンド中でレーダー信号を検出する。いくつかの例では、ブロック１０１０の動作は、図６を参照しながら本明細書で説明されたように、レーダー検出器６１０によって実行され得る。
【００８８】
[0102]ブロック１０１５において、ＳＴＡ１１５は、図２〜図４を参照しながら本明細書で説明されたように、レーダー信号を検出することに少なくとも部分的に基づいて２次チャネルを非レーダーサブバンドに移動する。いくつかの例では、ブロック１０１５の動作は、図６を参照しながら本明細書で説明されたように、２次無線コントローラ６１５によって実行され得る。
【００８９】
[0103]ブロック１０２０において、ＳＴＡ１１５は、図２〜図４を参照しながら本明細書で説明されたように、レーダー信号を検出することと２次チャネルを移動することとに少なくとも部分的に基づいて１次チャネルを第２のレーダーサブバンドに移動する。いくつかの例では、ブロック１０２０の動作は、図６を参照しながら本明細書で説明されたように、１次無線コントローラ６２０によって実行され得る。
【００９０】
[0104]ブロック１０２５において、ＳＴＡ１１５は、図２〜図４を参照しながら本明細書で説明されたように、１次チャネルおよび２次チャネルに少なくとも部分的に基づいてデュアル帯域幅容量を広告する。いくつかの例では、ブロック１０２５の動作は、図７を参照しながら本明細書で説明されたように、広告マネージャ７１０によって実行され得る。
【００９１】
[0105]図１１は、本開示の様々な態様による、デュアル広帯域チャネルを使用するソフトＡＰマスタモードのための方法１１００を示すフローチャートを示す。方法１１００の動作は、図１〜図８を参照しながら説明されたように、ＳＴＡ１１５またはそれの構成要素によって実装され得る。たとえば、方法１１００の動作は、図５〜図８を参照しながら説明されたように、デュアル無線コントローラ５１０によって実行され得る。いくつかの例では、ＡＰ１０５は、以下で説明される機能を実行するようにＳＴＡ１１５の機能要素を制御するためのコードのセットを実行し得る。追加または代替として、ＳＴＡ１１５は、専用ハードウェアを使用して、以下で説明される機能態様を実行し得る。方法１１００はまた、図９〜図１０の方法９００、および１０００の態様を組み込み得る。
【００９２】
[0106]ブロック１１０５において、ＳＴＡ１１５は、図２〜図４を参照しながら本明細書で説明されたように、第１のレーダーサブバンドおよび第２のレーダーサブバンドに対して成功したチャネル利用可能性検査（ＣＡＣ）を実行し、ここにおいて、１次チャネルおよび２次チャネルを確立することは、成功したＣＡＣに少なくとも部分的に基づく。いくつかの例では、ブロック１１０５の動作は、図７を参照しながら本明細書で説明されたように、ＣＡＣマネージャ７１５によって実行され得る。
【００９３】
[0107]ブロック１１１０において、ＳＴＡ１１５は、図２〜図４を参照しながら本明細書で説明されたように、第１のレーダーサブバンド中で１次チャネルを確立し、第２のレーダーサブバンド中で２次チャネルを確立する。いくつかの例では、ブロック１１１０の動作は、図６を参照しながら本明細書で説明されたように、チャネル確立マネージャ６０５によって実行され得る。
【００９４】
[0108]ブロック１１１５において、ＳＴＡ１１５は、図２〜図４を参照しながら本明細書で説明されたように、第１のレーダーサブバンド中でレーダー信号を検出する。いくつかの例では、ブロック１１１５の動作は、図６を参照しながら本明細書で説明されたように、レーダー検出器６１０によって実行され得る。
【００９５】
[0109]ブロック１１２０において、ＳＴＡ１１５は、図２〜図４を参照しながら本明細書で説明されたように、レーダー信号を検出することに少なくとも部分的に基づいて２次チャネルを非レーダーサブバンドに移動する。いくつかの例では、ブロック１１２０の動作は、図６を参照しながら本明細書で説明されたように、２次無線コントローラ６１５によって実行され得る。
【００９６】
[0110]ブロック１１２５において、ＳＴＡ１１５は、図２〜図４を参照しながら本明細書で説明されたように、レーダー信号を検出することと２次チャネルを移動することとに少なくとも部分的に基づいて１次チャネルを第２のレーダーサブバンドに移動する。いくつかの例では、ブロック１１２５の動作は、図６を参照しながら本明細書で説明されたように、１次無線コントローラ６２０によって実行され得る。
【００９７】
[0111]図１２は、本開示の様々な態様による、デュアル広帯域チャネルを使用するソフトＡＰマスタモードのための方法１２００を示すフローチャートを示す。方法１２００の動作は、図１〜図８を参照しながら説明されたように、ＳＴＡ１１５またはそれの構成要素によって実装され得る。たとえば、方法１２００の動作は、図５〜図８を参照しながら説明されたように、デュアル無線コントローラ５１０によって実行され得る。いくつかの例では、ＳＴＡ１１５は、以下で説明される機能を実行するようにＳＴＡ１１５の機能要素を制御するためのコードのセットを実行し得る。追加または代替として、ＡＰ１０５は、専用ハードウェアを使用して、以下で説明される機能態様を実行し得る。方法１２００はまた、図９〜図１１の方法９００、１０００、および１１００の態様を組み込み得る。
【００９８】
[0112]ブロック１２０５において、ＳＴＡ１１５は、図２〜図４を参照しながら本明細書で説明されたように、非レーダーサブバンド中で１次チャネルを確立する。いくつかの例では、ブロック１２０５の動作は、図６を参照しながら本明細書で説明されたように、チャネル確立マネージャ６０５によって実行され得る。
【００９９】
[0113]ブロック１２１０において、ＳＴＡ１１５は、図２〜図４を参照しながら本明細書で説明されたように、１次チャネルに少なくとも部分的に基づいてシングル帯域幅容量を広告する。いくつかの例では、ブロック１２１０の動作は、図７を参照しながら本明細書で説明されたように、広告マネージャ７１０によって実行され得る。
【０１００】
[0114]ブロック１２１５において、ＳＴＡ１１５は、図２〜図４を参照しながら本明細書で説明されたように、シングル帯域幅容量を広告することの後に２次チャネルのためのレーダーサブバンドに対する成功したＣＡＣを完了する。いくつかの例では、ブロック１２１５の動作は、図７を参照しながら本明細書で説明されたように、ＣＡＣマネージャ７１５によって実行され得る。
【０１０１】
[0115]ブロック１２２０において、ＳＴＡ１１５は、図２〜図４を参照しながら本明細書で説明されたように、成功したＣＡＣに少なくとも部分的に基づいてレーダーサブバンド中で２次チャネルを確立する。いくつかの例では、ブロック１２２０の動作は、図６を参照しながら本明細書で説明されたように、チャネル確立マネージャ６０５によって実行され得る。
【０１０２】
[0116]ブロック１２２５において、ＳＴＡ１１５は、図２〜図４を参照しながら本明細書で説明されたように、１次チャネルおよび成功したＣＡＣに少なくとも部分的に基づいてデュアル帯域幅容量を広告する。いくつかの例では、ブロック１２２５の動作は、図７を参照しながら本明細書で説明されたように、広告マネージャ７１０によって実行され得る。
【０１０３】
[0117]図１３は、本開示の様々な態様による、デュアル広帯域チャネルを使用するソフトＡＰマスタモードのための方法１３００を示すフローチャートを示す。方法１３００の動作は、図１〜図８を参照しながら説明されたように、ＳＴＡ１１５またはそれの構成要素によって実装され得る。たとえば、方法１３００の動作は、図５〜図８を参照しながら説明されたように、デュアル無線コントローラ５１０によって実行され得る。いくつかの例では、ＡＰ１０５は、以下で説明される機能を実行するようにＳＴＡ１１５の機能要素を制御するためのコードのセットを実行し得る。追加または代替として、ＳＴＡ１１５は、専用ハードウェアを使用して、以下で説明される機能態様を実行し得る。方法１３００はまた、図９〜図１２の方法９００、１０００、１１００、および１２００の態様を組み込み得る。
【０１０４】
[0118]ブロック１３０５において、ＳＴＡ１１５は、図２〜図４を参照しながら本明細書で説明されたように、非レーダーサブバンド中で１次チャネルを確立する。いくつかの例では、ブロック１３０５の動作は、図６を参照しながら本明細書で説明されたように、チャネル確立マネージャ６０５によって実行され得る。
【０１０５】
[0119]ブロック１３１０において、ＳＴＡ１１５は、図２〜図４を参照しながら本明細書で説明されたように、１次チャネルに少なくとも部分的に基づいてシングル帯域幅容量を広告する。いくつかの例では、ブロック１３１０の動作は、図７を参照しながら本明細書で説明されたように、広告マネージャ７１０によって実行され得る。
【０１０６】
[0120]ブロック１３１５において、ＳＴＡ１１５は、図２〜図４を参照しながら本明細書で説明されたように、シングル帯域幅容量を広告することの後に２次チャネルのための第１のレーダーサブバンドに対する成功したＣＡＣを完了する。いくつかの例では、ブロック１３１５の動作は、図７を参照しながら本明細書で説明されたように、ＣＡＣマネージャ７１５によって実行され得る。
【０１０７】
[0121]ブロック１３２０において、ＳＴＡ１１５は、図２〜図４を参照しながら本明細書で説明されたように、成功したＣＡＣに少なくとも部分的に基づいて第１のレーダーサブバンド中で２次チャネルを確立する。いくつかの例では、ブロック１３２０の動作は、図６を参照しながら本明細書で説明されたように、チャネル確立マネージャ６０５によって実行され得る。
【０１０８】
[0122]ブロック１３２５において、ＳＴＡ１１５は、図２〜図４を参照しながら本明細書で説明されたように、１次チャネルおよび成功したＣＡＣに少なくとも部分的に基づいてデュアル帯域幅容量を広告する。いくつかの例では、ブロック１３２５の動作は、図７を参照しながら本明細書で説明されたように、広告マネージャ７１０によって実行され得る。
【０１０９】
[0123]ブロック１３３０において、ＳＴＡ１１５は、図２〜図４を参照しながら本明細書で説明されたように、第２のレーダーサブバンドに対して第２の成功したＣＡＣを実行する。いくつかの例では、ブロック１３３０の動作は、図７を参照しながら本明細書で説明されたように、ＣＡＣマネージャ７１５によって実行され得る。
【０１１０】
[0124]ブロック１３３５において、ＳＴＡ１１５は、図２〜図４を参照しながら本明細書で説明されたように、利用可能なレーダーサブバンドのリストに第２のレーダーサブバンドを追加する。いくつかの例では、ブロック１３３５の動作は、図７を参照しながら本明細書で説明されたように、レーダーサブバンドリストマネージャ７２５によって実行され得る。
【０１１１】
[0125]図１４は、本開示の様々な態様による、デュアル広帯域チャネルを使用するソフトＡＰマスタモードのための方法１４００を示すフローチャートを示す。方法１４００の動作は、図１〜図８を参照しながら説明されたように、ＳＴＡ１１５またはそれの構成要素によって実装され得る。たとえば、方法１４００の動作は、図５〜図８を参照しながら説明されたように、デュアル無線コントローラ５１０によって実行され得る。いくつかの例では、ＳＴＡ１１５は、以下で説明される機能を実行するようにＳＴＡ１１５の機能要素を制御するためのコードのセットを実行し得る。追加または代替として、ＳＴＡ１１５は、専用ハードウェアを使用して、以下で説明される機能態様を実行し得る。方法１４００はまた、図９〜図１３の方法９００、１０００、１１００、１２００、および１３００の態様を組み込み得る。
【０１１２】
[0126]ブロック１４０５において、ＳＴＡ１１５は、図２〜図４を参照しながら本明細書で説明されたように、非レーダーサブバンド中で１次チャネルを確立する。いくつかの例では、ブロック１４０５の動作は、図６を参照しながら本明細書で説明されたように、チャネル確立マネージャ６０５によって実行され得る。
【０１１３】
[0127]ブロック１４１０において、ＳＴＡ１１５は、図２〜図４を参照しながら本明細書で説明されたように、１次チャネルに少なくとも部分的に基づいてシングル帯域幅容量を広告する。いくつかの例では、ブロック１４１０の動作は、図７を参照しながら本明細書で説明されたように、広告マネージャ７１０によって実行され得る。
【０１１４】
[0128]ブロック１４１５において、ＳＴＡ１１５は、図２〜図４を参照しながら本明細書で説明されたように、シングル帯域幅容量を広告することの後に２次チャネルのための第１のレーダーサブバンドに対する成功したＣＡＣを完了する。いくつかの例では、ブロック１４１５の動作は、図７を参照しながら本明細書で説明されたように、ＣＡＣマネージャ７１５によって実行され得る。
【０１１５】
[0129]ブロック１４２０において、ＳＴＡ１１５は、図２〜図４を参照しながら本明細書で説明されたように、成功したＣＡＣに少なくとも部分的に基づいて第１のレーダーサブバンド中で２次チャネルを確立する。いくつかの例では、ブロック１４２０の動作は、図６を参照しながら本明細書で説明されたように、チャネル確立マネージャ６０５によって実行され得る。
【０１１６】
[0130]ブロック１４２５において、ＳＴＡ１１５は、図２〜図４を参照しながら本明細書で説明されたように、１次チャネルおよび成功したＣＡＣに少なくとも部分的に基づいてデュアル帯域幅容量を広告する。いくつかの例では、ブロック１４２５の動作は、図７を参照しながら本明細書で説明されたように、広告マネージャ７１０によって実行され得る。
【０１１７】
[0131]ブロック１４３０において、ＳＴＡ１１５は、図２〜図４を参照しながら本明細書で説明されたように、第２のレーダーサブバンドに対して第２の成功したＣＡＣを実行する。いくつかの例では、ブロック１４３０の動作は、図７を参照しながら本明細書で説明されたように、ＣＡＣマネージャ７１５によって実行され得る。
【０１１８】
[0132]ブロック１４３５において、ＳＴＡ１１５は、図２〜図４を参照しながら本明細書で説明されたように、利用可能なレーダーサブバンドのリストに第２のレーダーサブバンドを追加する。いくつかの例では、ブロック１４３５の動作は、図７を参照しながら本明細書で説明されたように、レーダーサブバンドリストマネージャ７２５によって実行され得る。
【０１１９】
[0133]ブロック１４４０において、ＳＴＡ１１５は、図２〜図４を参照しながら本明細書で説明されたように、リストがしきい値数のサブバンドを含んでいると決定する。いくつかの例では、ブロック１４４０の動作は、図７を参照しながら本明細書で説明されたように、レーダーサブバンドリストマネージャ７２５によって実行され得る。
【０１２０】
[0134]ブロック１４４５において、ＳＴＡ１１５は、図２〜図４を参照しながら本明細書で説明されたように、デュアル帯域幅容量が決定に少なくとも部分的に基づくことを広告する。いくつかの例では、ブロック１４４５の動作は、図７を参照しながら本明細書で説明されたように、広告マネージャ７１０によって実行され得る。
【０１２１】
[0135]したがって、方法９００、１０００、１１００、１２００、１３００、および１４００は、デュアル広帯域チャネルを使用するソフトＡＰマスタモードを与え得る。方法９００、１０００、１１００、１２００、１３００、および１４００は可能な実装形態について説明していること、ならびに動作およびステップは、他の実装形態が可能であるように、並べ替えられるかまたは場合によっては変更され得ることに留意されたい。いくつかの例では、方法９００、１０００、１１００、１２００、１３００、および１４００のうちの２つまたはそれ以上からの態様が組み合わせられ得る。
【０１２２】
[0136]添付の図面に関して上記に記載された詳細な説明は、例示的な構成について説明しており、実装され得るまたは特許請求の範囲内に入るすべての例を表すとは限らない。この説明全体にわたって使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１２３】
[0137]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２４】
[0138]本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携するマイクロプロセッサ、または任意の他のそのような構成）としても実装され得る。
【０１２５】
[0139]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、命令またはコードとしてコンピュータ可読媒体上に記憶されるか、あるいはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような包含的列挙を示す。
【０１２６】
[0140]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２７】
[0141]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018509826.tif 000003
【図２】
2018509826.tif 000004
【図３】
2018509826.tif 000005
【図４Ａ】
2018509826.tif 000006
【図４Ｂ】
2018509826.tif 000007
【図５】
2018509826.tif 000008
【図６】
2018509826.tif 000009
【図７】
2018509826.tif 000010
【図８】
2018509826.tif 000011
【図９】
2018509826.tif 000012
【図１０】
2018509826.tif 000013
【図１１】
2018509826.tif 000014
【図１２】
2018509826.tif 000015
【図１３】
2018509826.tif 000016
【図１４】
2018509826.tif 000017
【国際調査報告】
2018509826.tif 000018
2018509826.tif 000019
2018509826.tif 000020
2018509826.tif 000021
2018509826.tif 000022